(57)【要約】【課題】棟を挟んで対向して設置される垂木の各々が逆方向に転びにくくなり、棟を挟んで対向して設置される野地板の各々が一体的に変位する、水平力に対する屋根全体の剛性を向上させることができる屋根構造体を提供する。【解決手段】つなぎ部材１５が、棟木１１の軸方向に隣り合う垂木１３同士の間かつ棟木１１の上に、連続して設置されている。つなぎ部材１５は、例えば釘１６等の締結具が側方から斜め下方に打ち込まれて、棟木１１の上に固定されている。更に、野地板１４の上方からつなぎ部材１５の上面２３に向かって釘１７等の締結具が打ち込まれて、つなぎ部材１５に野地板１４が固定されている。棟木１１を挟んで対向して配置されている野地板１４同士は、つなぎ部材１５を介して接合されている。したがって、棟を挟んで対向して設置された垂木１３及び野地板１４は、つなぎ部材１５を介して接合されているため一体的に変位する。【選択図】図１
2011153520.tif 000002
【特許請求の範囲】
【請求項１】
棟を挟んで対向するように下方に傾斜する傾斜面を有する屋根構造体であって、
棟木と、
前記棟木を挟んで対向するように設置され、前記棟木に上方端側が支持される垂木と、
前記垂木の上面に設置される野地板と、
前記棟木の軸方向に隣り合う前記垂木同士の間かつ前記棟木の上に、前記垂木の側面をつなぐように設置されたつなぎ部材とを備え、
前記棟木を挟んで対向する前記野地板の双方が前記つなぎ部材に固定され、
前記つなぎ部材は、前記つなぎ部材がつながれた前記垂木に固定され、
前記つなぎ部材は、前記棟木の上面と前記野地板の下面とに沿って、前記軸方向に延びると共に中空に形成され、
前記つなぎ部材は、前記棟木の上面に設置される前記軸方向に延びる底板と、前記底板の前記軸方向の辺の各々から上方に延びるように接続される側板と、前記側板の各々の上辺から前記野地板の下面に沿って延びるように接続される傾斜板とを含む屋根構造体。
【請求項２】
前記側板は、前記軸方向の辺の各々から上方に延びると共に前記棟木の側面に沿って下方に延びるように接続される請求項１記載の屋根構造体。
【請求項３】
前記つなぎ部材は、前記底板の上面から上方に延びるように接続される仕切板を更に含む請求項１または請求項２記載の屋根構造体。
【請求項４】
前記つなぎ部材は、前記側板の垂木側の辺から前記垂木の側面に沿って延びるように接続される小口板とを含む請求項１から請求項３のいずれか一項に記載の屋根構造体。
【請求項５】
前記つなぎ部材は、前記小口板から延びて前記側板に接続される補強板を更に含む請求項４に記載の屋根構造体。
【請求項６】
前記つなぎ部材は、上面が前記野地板の下面に沿うと共に小口面が前記垂木の側面に沿って前記側板の外方面に取り付けられた桟木とを含む請求項５に記載の屋根構造体。
【請求項７】
前記小口板は、垂木の側面に沿って棟木の上面まで下方に延びるように接続され、
前記つなぎ部材の各々は、前記垂木を挟んで、前記小口板の下辺から棟木の上面に沿って延びる底板によって接続され、
前記棟木を挟んで対向する前記野地板の双方が前記つなぎ部材に固定された請求項６に記載の屋根構造体。
【発明の詳細な説明】
【技術分野】
【０００１】
この発明は屋根構造体に関し、特に棟を挟んで下方に傾斜する傾斜面を有する屋根構造体に関するものである。
【背景技術】
【０００２】
従来の木造住宅の棟を挟んで下方に傾斜する傾斜面を有する屋根構造体は、平行に配置される軒桁と、軒桁に直交して軒桁同士を所定の間隔で接続する小屋梁と、軒桁と平行に最上部に配置される棟木と、軒桁と平行に軒桁と棟木との間に配置される母屋と、棟木、母屋及び軒桁の上にそれらに直交して取り付けられる垂木と、垂木の上に取り付けられる野地板とを備えている。棟木及び母屋は、小屋梁から立ち上げられた小屋束によって支持される。上記垂木の上方端は棟木に釘等で固定されている（例えば、特許文献１参照）。
【先行技術文献】
【特許文献】
【０００３】
【特許文献１】特開２０００−２２０２４４号公報（第７頁、図６）
【発明の概要】
【発明が解決しようとする課題】
【０００４】
上記のような従来の屋根構造体では、地震や台風等により屋根構造体が水平力を受けた場合に、棟を挟んで配置される垂木が逆方向に転んだり、棟を挟んで配置される野地板がばらばらに変位して、屋根全体の剛性が、鉄骨住宅やコンクリート住宅の屋根構造体と比較して低くなっている。したがって、大空間を有する間取りを作るのが困難であった。
図２２は、従来の屋根構造体の野地板についての問題点を示す概略図であり、図２３は、従来の屋根構造体の垂木についての問題点を示す概略図である。
図２２を参照して、図２２の（１）は従来の屋根構造体の小屋梁方向の概略構成を示した断面図である。従来の屋根構造体は、上述した軒桁９０、小屋梁９１、棟木９２、母屋９３、垂木９４、野地板９５及び小屋束９６とを備えている。図２２の（２）は、図２２の（１）で示した野地板９５を上から見た図である。従来の屋根構造体が水平力を受けると、棟を挟んで対向する野地板９５同士が接合されていないため、図２２の（２）で示した野地板９５が、図２２の（３）で示したように、棟を挟んでばらばらに変位する。
図２３を参照して、図２３の（１）は図２２の（１）で示した断面図の棟木部分の拡大図である。棟木９２を切り欠いて、垂木９４の上方端が釘等により固定されている。図２３の（２）は、図２３の（１）で示した棟木９２部分を野地板９５を取り外して上から見た図である。従来の屋根構造体が水平力を受けると、棟を挟んで対向する垂木９４同士が接合されていないため、図２３の（２）で示した垂木９４が、図２３の（３）の矢印で示したように、棟を挟んで逆方向に転ぶ。以上のような現象が、屋根全体の剛性の向上の妨げとなっている。
【０００５】
この発明は、上記のような課題を解決するためになされたもので、棟を挟んで対向して設置される垂木の各々が逆方向に転びにくくなり、棟を挟んで対向して設置される野地板の各々が一体的に変位する、水平力に対する屋根全体の剛性を向上させることができる屋根構造体を提供することを目的とする。
【課題を解決するための手段】
【０００６】
上記の目的を達成するために、請求項１記載の発明は、棟を挟んで対向するように下方に傾斜する傾斜面を有する屋根構造体であって、棟木と、前記棟木を挟んで対向するように設置され、前記棟木に上方端側が支持される垂木と、前記垂木の上面に設置される野地板と、前記棟木の軸方向に隣り合う前記垂木同士の間かつ前記棟木の上に、前記垂木の側面をつなぐように設置されたつなぎ部材とを備え、前記棟木を挟んで対向する前記野地板の双方が前記つなぎ部材に固定され、前記つなぎ部材は、前記つなぎ部材がつながれた前記垂木に固定され、前記つなぎ部材は、前記棟木の上面と前記野地板の下面とに沿って、前記軸方向に延びると共に中空に形成され、前記つなぎ部材は、前記棟木の上面に設置される前記軸方向に延びる底板と、前記底板の前記軸方向の辺の各々から上方に延びるように接続される側板と、前記側板の各々の上辺から前記野地板の下面に沿って延びるように接続される傾斜板とを含むものである。
【０００７】
このように構成すると、屋根構造体が水平力を受けた場合に、棟木の上の垂木が転びにくくなり、棟を挟んで対向して設置された垂木の各々が逆方向に転びにくくなる。又、棟を挟んで対向して設置された野地板の各々が一体的に変位する。また、つなぎ部材と垂木が一体的に変位する。また、つなぎ部材が棟木及び野地板と面で接触する。
【０００８】
請求項２記載の発明は、請求項１記載の発明の構成において、前記側板は、前記軸方向の辺の各々から上方に延びると共に前記棟木の側面に沿って下方に延びるように接続されるものである。
【０００９】
このように構成すると、つなぎ部材が棟木の側面及び野地板と面で接触する。
【００１０】
請求項３記載の発明は、請求項１または請求項２記載の発明の構成において、前記つなぎ部材は、前記底板の上面から上方に延びるように接続される仕切板を更に含むものである。
【００１１】
このように構成すると、つなぎ部材の剛性が向上する。
【００１２】
請求項４記載の発明は、請求項１から請求項３のいずれか一項に記載の発明の構成において、前記つなぎ部材は、前記側板の垂木側の辺から前記垂木の側面に沿って延びるように接続される小口板とを含むものである。
【００１３】
このように構成すると、つなぎ部材が垂木の側面と面で接触する。
【００１４】
請求項５記載の発明は、請求項４記載の発明の構成において、前記つなぎ部材は、前記小口板から延びて前記側板に接続される補強板を更に含むものである。
【００１５】
このように構成すると、つなぎ部材の小口板の剛性が向上する。
【００１６】
請求項６記載の発明は、請求項５記載の発明の構成において、上面が前記野地板の下面に沿うと共に小口面が前記垂木の側面に沿って前記側板の外方面に取り付けられた桟木とを含むものである。
【００１７】
このように構成すると、つなぎ部材の桟木が垂木及び野地板と面で接触する。
【００１８】
請求項７記載の発明は、請求項６記載の発明の構成において、前記小口板は、垂木の側面に沿って棟木の上面まで下方に延びるように接続され、前記つなぎ部材の各々は、前記垂木を挟んで、前記小口板の下辺から棟木の上面に沿って延びる底板によって接続され、前記棟木を挟んで対向する前記野地板の双方が前記つなぎ部材に固定されたものである。
【００１９】
このように構成すると、棟木の上の垂木が転びにくくなり、棟を挟んで対向して設置された垂木の各々が逆方向に転びにくくなる。又、棟を挟んで対向して設置された野地板の各々が一体的に変位する。更に、つなぎ部材と垂木が一体的に変位する。更に、垂木の取付け間隔が一定となる。
【発明の効果】
【００２０】
以上説明したように、請求項１記載の発明は、屋根構造体が水平力を受けた場合に棟木の上の垂木が転びにくくなり、棟を挟んで対向して設置された垂木の各々が逆方向に転びにくくなる。又、棟を挟んで対向して設置された野地板の各々が一体的に変位する。そのため、水平力に対する屋根構造体全体の剛性を向上させることができる。また、つなぎ部材と垂木が一体的に変位するため、水平力に対する屋根構造体全体の剛性を更に向上させることができる。また、つなぎ部材が棟木及び野地板と面で接触するため、野地板をつなぎ部材に安定して固定することができる。
【００２１】
請求項２記載の発明は、つなぎ部材が棟木の側面と面で接触するため、つなぎ部材を所定の位置に容易に配置することができ、つなぎ部材を棟木に側方から容易に固定することができる。又、つなぎ部材が野地板と面で接触するため、野地板をつなぎ部材に安定して固定することができる。
【００２２】
請求項３記載の発明は、つなぎ部材の剛性が向上するため、屋根構造体が水平力を受けた場合に垂木及び野地板の変位を小さくすることができる。
【００２３】
請求項４記載の発明は、つなぎ部材が垂木の側面と面で接触するため、つなぎ部材を垂木に容易に固定することができる。
【００２４】
請求項５記載の発明は、つなぎ部材の小口板の剛性が向上するため、つなぎ部材を垂木に安定して容易に固定することができる。
【００２５】
請求項６記載の発明は、つなぎ部材の桟木が垂木及び野地板と面で接触するため、木ネジや一般的な釘等を使用してつなぎ部材に垂木及び野地板を固定することができる。
【００２６】
請求項７記載の発明は、棟木の上の垂木が転びにくくなり、棟を挟んで対向して設置された垂木の各々が逆方向に転びにくくなる。又、棟を挟んで対向して設置された野地板の各々が一体的に変位する。更に、つなぎ部材と垂木が一体的に変位する。更に、垂木の取付け間隔が一定となる。そのため、水平力に対する屋根構造体全体の剛性を向上させることができると共に、つなぎ部材に垂木を効率的に施工することができる。
【図面の簡単な説明】
【００２７】
【図１】参考例の形態による屋根構造体の概略構成を示した斜視図である。
【図２】図１で示したつなぎ部材の概略構成を示した斜視図である。
【図３】図１で示したＩＩＩ―ＩＩＩラインの概略構成を示した断面図である。
【図４】この発明の実施の形態による屋根構造体に用いられるつなぎ部材の概略構成を示した斜視図である。
【図５】この発明の実施の形態による屋根構造体に用いられるつなぎ部材の概略構成を示した斜視図である。
【図６】この発明の実施の形態による屋根構造体に用いられるつなぎ部材の概略構成を示した斜視図である。
【図７】この発明の実施の形態による屋根構造体に用いられるつなぎ部材の概略構成を示した斜視図である。
【図８】この発明の実施の形態による屋根構造体に用いられるつなぎ部材の概略構成を示した斜視図である。
【図９】この発明の実施の形態による屋根構造体に用いられるつなぎ部材の概略構成を示した斜視図である。
【図１０】この発明の実施の形態による屋根構造体に用いられるつなぎ部材の概略構成を示した斜視図である。
【図１１】この発明の実施の形態による屋根構造体に用いられるつなぎ部材の概略構成を示した斜視図である。
【図１２】この発明の実施の形態による屋根構造体に用いられるつなぎ部材の概略構成を示した斜視図である。
【図１３】この発明の実施の形態による屋根構造体に用いられるつなぎ部材の概略構成を示した斜視図である。
【図１４】図１３で示したつなぎ部材が用いられた屋根構造体の棟部分の概略構成を示した断面図である。
【図１５】この発明の実施の形態による屋根構造体に用いられるつなぎ部材の概略構成を示した斜視図である。
【図１６】この発明の実施の形態による屋根構造体に用いられるつなぎ部材の概略構成を示した斜視図である。
【図１７】参考例の形態による屋根構造体に用いられる接合部材の概略構成を示した斜視図である。
【図１８】参考例の形態による屋根構造体に用いられる接合部材の概略構成を示した斜視図である。
【図１９】参考例の形態による屋根構造体の棟部分の一部の概略構成を示した分解斜視図である。
【図２０】参考例の形態による屋根構造体の棟部分の一部の概略構成を示した分解斜視図である。
【図２１】参考例の形態による屋根構造体の棟部分及び軒桁部分の一部の概略構成を示した分解斜視図である。
【図２２】従来の屋根構造体の野地板についての問題点を示す概略図である。
【図２３】従来の屋根構造体の垂木についての問題点を示す概略図である。
【発明を実施するための形態】
【００２８】
次に、発明の実施の形態について、図を用いて説明する。
【００２９】
図１は参考例による屋根構造体の概略構成を示した斜視図であり、図２は図１で示したつなぎ部材の概略構成を示した斜視図であり、図３は図１で示したＩＩＩ―ＩＩＩラインの概略構成を示した断面図である。
【００３０】
図１に示すように、例えば木造住宅の切妻屋根のように、棟を挟んで下方に傾斜する傾斜面を有する屋根構造体は、平行に配置される軒桁１０と、軒桁１０と平行に最上部に配置される棟木１１と、軒桁１０と平行に軒桁１０と棟木１１との間に配置される母屋１２と、棟木１１、母屋１２及び軒桁１０の上にそれらに直交して所定の間隔で取り付けられる垂木１３と、垂木１３の上面に設置される野地板１４とを備えている。設置される高さが、棟木１１、母屋１２、軒桁１０の順に低くなり、棟から軒先に向かって下方に傾斜する傾斜面が構成される。垂木１３の上方端が棟木１１に支持され、垂木１３の下方端が軒桁１０に支持される。軒桁１０、棟木１１、母屋１２及び垂木１３は断面が矩形形状を有する。尚、軒桁１０の各々は、軒桁１０に直交して配置される図示しない小屋梁によって所定の間隔で接続されている。棟木１１及び母屋１２は、上記小屋梁から立ち上げられた図示しない小屋束によって支持される。垂木１３は、棟木１１を挟んで対向するように設置されている。棟木１１、母屋１２及び軒桁１０には、垂木１３を取り付けるための切欠きが形成されている。つなぎ部材１５が、棟木１１の軸方向に隣り合う垂木１３同士の間かつ棟木１１の上に、連続して設置されている。
【００３１】
図２に示すように、つなぎ部材１５は、例えばＬＶＬ等の木質系材料よりなり、棟木１１の上面１９と野地板１４の下面１８とに沿って棟木１１の軸方向に延びると共に中実に形成さている。又、つなぎ部材１５は、棟木１１の上面１９に、棟木１１の軸方向に隣り合う垂木１３の側面２２をつなぐように設置されている。よって、つなぎ部材１５の小口面２５と垂木１３の側面２２が面で接触し、つなぎ部材１５の上面２３と野地板１４の下面１８が面で接触している。尚、つなぎ部材１５の側面２４は、棟木１１の側面２０に整列している。つなぎ部材１５の上面２３は、垂木１３の上面２１に整列している。つなぎ部材１５の断面形状は、下辺２７が棟木１１の上面１９接する矩形形状と上辺２６が野地板１４の下面１８と接する二等辺三角形形状との組み合わせからなる形状に形成さている。
【００３２】
図３に示すように、つなぎ部材１５は、例えば釘１６等の締結具が側方から斜め下方に打ち込まれて、棟木１１の上に固定されている。更に、野地板１４の上方からつなぎ部材１５の上面２３に向かって釘１７等の締結具が打ち込まれて、つなぎ部材１５に野地板１４が固定されている。棟木１１を挟んで対向して配置されている野地板１４同士は、つなぎ部材１５を介して接合されている。つなぎ部材１５と垂木１３とは、釘等の締結具を用いて接合しても、つなぎ部材１５の小口面２５と垂木１３の側面２２とを接触させるだけで接合しなくてもよい。
【００３３】
上記のように構成される屋根構造体では、屋根構造体が地震や台風等により水平力を受けた場合に、つなぎ部材１５によって垂木１３の側面２２の移動が拘束されるため、棟木１１の上の垂木１３が転びにくくなる。又、図２３の（３）で示した従来の屋根構造とは異なり、棟を挟んで対向して設置された垂木１３の各々が逆方向に転びにくくなる。更に、棟を挟んで対向して設置された野地板１４の各々は、つなぎ部材１５を介して接合されているため一体的に変位する。したがって、水平力に対する屋根構造体全体の剛性を向上させることができる。
【００３４】
更に、つなぎ部材１５と垂木１３とを締結具を用いて接合することにより、つなぎ部材１５と垂木１３とが一体的に変位するため、水平力に対する屋根構造体全体の剛性を更に向上させることができる。
【００３５】
更に、つなぎ部材１５は、棟木１１、垂木１３及び野地板１４と面で接触するため、つなぎ部材１５を棟木１１及び垂木１３に安定して固定することができ、野地板１４をつなぎ部材１５に安定して固定することができる。又、つなぎ部材１５が設置されることにより、棟木１１と野地板１４とがつなぎ部材１５を介して接合されることとなる。尚、つなぎ部材１５の横幅は、つなぎ部材１５の側面２４が棟木１１の側面２０に整列するような大きさに構成されているため、つなぎ部材１５の位置決めが容易となる。
【００３６】
図４はこの発明の実施の形態による屋根構造体に用いられるつなぎ部材の概略構成を示した斜視図である。屋根構造体は、図２に示した形態と基本的な構成は共通するため、異なる点を説明する。
【００３７】
図４に示した形態は、図２に示した形態と比較してつなぎ部材３０の形状のみが異なっている。つなぎ部材３０は、例えば鉄板等の加工により形成され、棟木１１の上面１９に設置されると共に棟木１１の軸方向に延びる底板３１と、底板３１の棟木１１の軸方向の辺の各々から上方に垂直に延びるように接続される側板３２と、側板３２の各々の上辺から野地板１４の下面１８に沿って斜め上方に延びるように接続される傾斜板３３とを備えている。傾斜板３３の各々は、上辺同士が接続してつなぎ部材３０の頂部を構成している。側板３２の各々は、棟木１１の側面２０に整列している。つなぎ部材３０は、棟木１１の軸方向に対向する垂木１３の側面２２の各々に接するような長さに形成されている。底板３１、側板３２、傾斜板３３は各々矩形平板状に形成されている。
【００３８】
上記のように構成される屋根構造体では、つなぎ部材３０を鉄板で形成することにより、つなぎ部材３０の曲げ剛性が向上すると共に、つなぎ部材３０が反りにくくなる。又、棟木１１及び野地板１４と面で接触するため、野地板１４をつなぎ部材３０に安定して固定することができる。
【００３９】
図５はこの発明の実施の形態による屋根構造体に用いられるつなぎ部材の概略構成を示した斜視図であり、図２に対応した図である。
図５を参照して、図４で示した形態と比較して、つなぎ部材３４の側板３５の形状のみが異なっている。側板３５は、底板３１の棟木１１の軸方向の辺の各々から上方に延びると共に棟木１１の側面２０に沿って下方に延びるように接続されている。又、側板３５の棟木１１の側面２０と接触する部分には、木ネジ等の締結具を挿通させるための孔３６が水平方向に所定の間隔をあけて複数形成されている。側板３５は矩形平板状に形成されている。
【００４０】
上記のように構成される屋根構造体では、つなぎ部材３４が棟木１１の側面２０と面で接触するため、つなぎ部材３４を所定の位置に容易に配置することができ、つなぎ部材３４を棟木１１の側方から容易に固定することができる。側板３５には上記孔３６が形成されているため、締結具を容易に貫通させてつなぎ部材３４を棟木１１に固定させることができる。
【００４１】
図６はこの発明の実施の形態による屋根構造体に用いられるつなぎ部材の概略構成を示した斜視図であり、図２に対応した図である。
【００４２】
図６を参照して、図５で示した形態と比較して、つなぎ部材３７の傾斜板３８の形状のみが異なっている。傾斜板３８は、側板３５の各々の上辺から野地板１４の下面１８に沿って上方及び下方に延びるように接続されている。傾斜板３８の各々は、上辺同士が接続してつなぎ部材３７の頂部を構成している。傾斜板３８は矩形平板状に形成されている。
【００４３】
上記のように構成される屋根構造体では、つなぎ部材３７と野地板１４とが接触する面積が大きくなる。そのため、野地板１４の上方から傾斜板３８に向かって釘等の締結具を打ち込んで、野地板１４をつなぎ部材３７に容易に固定することができる。
【００４４】
図７はこの発明の実施の形態による屋根構造体に用いられるつなぎ部材の概略構成を示した斜視図であり、図２に対応した図である。
【００４５】
図７を参照して、図６で示した形態と比較して、つなぎ部材３９が小口板４０を更に備えている点のみが異なっている。小口板４０は、垂木１３の側面２２に沿って、傾斜板３８の垂木１３側の辺から下方にかつ側板３５の垂木１３側の辺から外方に延びるように続されている。又、小口板４０の垂木１３の側面２２と接触する部分には、木ネジ等の締結具を挿通させるための孔４１が複数形成されている。小口板４０は三角形平板状に形成されている。
【００４６】
上記のように構成される屋根構造体では、つなぎ部材３９が垂木１３の側面２２と面で接触するため、つなぎ部材３９を垂木１３に容易に固定することができる。又、小口板４０には上記孔４１が形成されているため、締結具を容易に貫通させてつなぎ部材３９を垂木１３に固定させることができる。
【００４７】
図８はこの発明の実施の形態による屋根構造体に用いられるつなぎ部材の概略構成を示した斜視図であり、図２に対応した図である。
【００４８】
図８を参照して、図５で示した実施の形態と比較して、つなぎ部材４２の傾斜板４３の形状が異なっている。傾斜板４３は、側板３５の各々の上辺から野地板１４の下面１８に沿って下方に延びるように接続されている。傾斜板４３は矩形平板状に形成されている。底板３１には、木ネジ等の締結具を挿通させるための孔６１が、棟木１１の軸方向に２列に整列して複数形成されている。
【００４９】
上記のように構成される屋根構造体では、野地板１４の棟側の端部から離れた位置で、つなぎ部材４２の傾斜板４３と野地板１４が面で接触する。そのため、端あき寸法を十分に確保した上で、野地板１４の上方から傾斜板４３に向かって釘等の締結具を打ち込んで、野地板１４をつなぎ部材４２に固定することができる。又、底板３１には上記孔６１が形成されているため、締結具を挿通させてつなぎ部材４２を棟木１１に容易に固定させることができる。更に、つなぎ部材４２は棟の頂部に当たる部分が開放されているため、つなぎ部材４２と棟の頂部に取り付けられる他の部材との干渉を避けることができる。
【００５０】
図９はこの発明の実施の形態による屋根構造体に用いられるつなぎ部材の概略構成を示した斜視図であり、図２に対応した図である。
【００５１】
図９を参照して、図８で示した実施の形態と比較して、つなぎ部材４４が小口板４５と仕切板４６とを更に備えている点のみが異なっている。小口板４５は、垂木１３の側面２２に沿って、底板３１の垂木１３側の辺から上方にかつ側板３５の垂木１３側の辺から内方に延びるように続されている。又、小口板４５の垂木１３の側面２２と接触する部分には、木ネジ等の締結具を挿通させるための孔４１が複数形成されている。仕切板４６は、小口板４５の各々の間を２等分に仕切るように棟木１１の軸方向に直交する方向に配置されている。又、仕切板４６は、底板３１の上面から上方に延びるようにして、底板３１と側板３５の各々とを接続している。小口板４５及び仕切板４６は、矩形平板状に形成されている。底板３１には、実施の形態と同様に複数の孔６１が形成されている。
【００５２】
上記のように構成される屋根構造体では、つなぎ部材４４が垂木１３の側面２２と面で接触するため、つなぎ部材４４を垂木１３に容易に固定することができる。小口板４０には上記孔４１が形成されているため、締結具を容易に貫通させてつなぎ部材４４を垂木１３に固定させることができる。又、仕切板４６によりつなぎ部材４４の剛性が向上するため、屋根構造体が水平力を受けた場合に垂木１３及び野地板１４の変位を小さくすることができる。
【００５３】
図１０はこの発明の実施の形態による屋根構造体に用いられるつなぎ部材の概略構成を示した斜視図であり、図２に対応した図である。
【００５４】
図１０を参照して、図６で示した形態と比較して、つなぎ部材４７が仕切板４８を更に備えている点のみが異なっている。仕切板４８は矩形平板状に形成され、側板３５の各々の間に棟木１１の軸方向に延びるように側板３５に平行に配置されている。又、仕切板４８は、底板３１の上面から上方に延びるようにして、底板３１と、傾斜板３８の各々が接続する頂部とを接続している。
【００５５】
上記のように構成される屋根構造体では、つなぎ部材４７と野地板１４の接触する面が大きくなると共につなぎ部材４７の剛性が向上するため、野地板１４の上方から傾斜板３８に向かって釘等の締結具を打ち込んで、野地板１４をつなぎ部材４７に安定して容易に固定することができる。
【００５６】
図１１はこの発明の実施の形態による屋根構造体に用いられるつなぎ部材の概略構成を示した斜視図であり、図２に対応した図である。
【００５７】
図１１を参照して、図５で示した形態と比較して、つなぎ部材４９が小口板５０、補強板５１及び仕切板４８を更に備えている点のみが異なっている。小口板５０は、垂木１３の側面２２に沿って、側板３５の垂木１３側の辺の底板３１より上方部分から外方に延びるように続されている。小口板５０の各々は、棟木１１の軸方向からみて、上辺が野地板１４の下面１８に沿った平行四辺形平板状に形成されている。又、小口板５０の垂木１３の側面２２と接触する部分には、木ネジ等の締結具を挿通させるための孔４１が複数形成されている。補強板５１は直角三角形平板状に形成され、小口板５０の下辺から側板３５に向かって延びるように、直角部分を小口板５０と側板３５との入隅部分に合わせて、側板３５に接続されている。仕切板４８は矩形平板状に形成され、側板３５の各々の間に棟木１１の軸方向に延びるように側板３５に平行に配置されている。又、仕切板４８は、底板３１の上面から上方に延びるようにして、底板３１と、傾斜板３８の各々が接続する頂部とを接続している。
【００５８】
上記のように構成される屋根構造体では、垂木１３の棟側の端部から離れた位置で、つなぎ部材４９の小口板５０と垂木１３の側面２２が面で接触する。又、小口板５０には補強板５１が接続されているため、棟木１１の軸方向に対する剛性が向上している。したがって、つなぎ部材４９を垂木１３に安定して固定することができる。又、小口板５０には上記孔４１が形成されているため、つなぎ部材４９を垂木１３に容易に固定することができる。
【００５９】
図１２はこの発明の実施の形態による屋根構造体に用いられるつなぎ部材の概略構成を示した斜視図であり、図２に対応した図である。
【００６０】
図１２を参照して、図１１で示した形態と比較して、つなぎ部材５２の傾斜板４３及び小口板５３の形状が異なり、つなぎ部材５２が仕切板５４を更に備え、つなぎ部材４９の補強板５１を備えていない点が異なっている。傾斜板４３は、側板３５の各々の上辺から野地板１４の下面１８に沿って下方に延びるように接続されている。傾斜板４３は矩形平板状に形成されている。小口板５３は、垂木１３の側面２２に沿って、底板３１の垂木１３側の辺から上方にかつ側板３５の垂木１３側の辺から内方に延びると共に、傾斜板４３の垂木１３側の辺から下方にかつ側板３５の垂木１３側の辺から外方に延びるように続されている。小口板５３は、棟木１１の軸方向からみてへの字状を有する平板から構成されている。小口板５３の垂木１３の側面２２と接触する部分には、木ネジ等の締結具を挿通させるための孔４１が複数形成されている。仕切板５４は、底板３１の上面から上方かつ棟木１１の軸方向に直交する方向に接続されると共に、仕切板４８と側板３５の各々とを接続するように小口板５３の各々の間に設置されている。仕切板５４は、２角が直角である台形形状を有する平板から構成されている。仕切板４８は、底板３１の上面から上方かつ棟木１１の軸方向に延びるように接続されると共に小口板５３の各々を接続するように側板３５の各々の間に設置されている。仕切板４８が第１仕切板を構成し、仕切板５４が第２仕切板を構成する。
【００６１】
上記のように構成される屋根構造体では、小口板５３により、棟を挟んで対向する垂木１３の各々の側面２２がつなぎ部材５２の連続した１つの面と接触する。又、仕切板４８及び仕切板５４により、つなぎ部材５２全体の剛性が向上する。そのため、棟を挟んで対向する垂木１３をつなぎ部材５２を介して強固に接合することができる。更に、小口板５３には上記孔４１が形成されているため、つなぎ部材５２を垂木１３に容易に固定することができる。
【００６２】
図１３はこの発明の実施の形態による屋根構造体に用いられるつなぎ部材の概略構成を示した斜視図であり、図２に対応した図である。図１４は図１３で示したつなぎ部材が用いられた屋根構造体の棟部分の概略構成を示した断面図であり、図３に対応した図である。
【００６３】
図１３を参照して、図２に示した形態と比較してつなぎ部材５５の形状のみが異なっている。つなぎ部材５５は、棟木１１の上面１９に設置される棟木１１の軸方向に延びる底板５６と、底板５６の上記軸方向の辺の各々から上方に延びるように接続される側板５７と、側板５７の外方面に取り付けられた桟木５８とを備えている。底板５６は矩形平板状に形成され、ほぼ中央に上記軸方向に整列して所定の間隔をあけて、木ネジ等の締結具を挿通させるための孔６１が複数形成されている。側板５７は矩形平板状に形成されている。底板５６及び側板５７は例えば鉄板等の加工により形成されている。桟木５８は、木製からなり断面矩形形状を有する柱状に形成され、上面６２が野地板１４の下面１８に沿うと共に、小口面６３が垂木１３の側面２２に沿うように構成されている。桟木５８は、例えば木ネジ６０等の締結具により側板５７に取り付けられている。
【００６４】
図１４を参照して、つなぎ部材５５は、例えば木ネジ５９等の締結具が上方から打ち込まれて、棟木１１の上に固定されている。更に、野地板１４の上方からつなぎ部材５５の桟木５８に向かって釘１７等の締結具が打ち込まれて、つなぎ部材５５に野地板１４が固定されている。棟木１１を挟んで対向して配置されている野地板１４同士は、つなぎ部材５５を介して接合されている。つなぎ部材５５と垂木１３とは、釘等の締結具を用いて接合しても、桟木５８の小口面６３と垂木１３の側面２２とを接触させるだけで接合しなくてもよい。
【００６５】
上記のように構成される屋根構造体では、つなぎ部材５５の木製からなる桟木５８が垂木１３及び野地板１４と面で接触するため、木ネジや一般的な釘等を使用してつなぎ部材５５に垂木１３及び野地板１４を固定することができる。又、底板５６には上記孔６１が形成されているため、つなぎ部材５５を棟木１１に容易に固定することができる。
【００６６】
図１５はこの発明の実施の形態による屋根構造体に用いられるつなぎ部材の概略構成を示した斜視図であり、図２に対応した図である。
【００６７】
図１５を参照して、図１３に示した形態と比較してつなぎ部材６４は小口板６５を更に備えている点のみが異なっている。小口板６５は、垂木１３の側面２２に沿って、底板５６の垂木１３側の辺から上方にかつ側板５７の垂木１３側の辺から内方に延びるように接続されている。小口板６５は鉄板等からなり、逆台形平板状に形成されている。小口板６５の垂木１３の側面２２と接触する部分には、木ネジ等の締結具を挿通させるための孔４１が複数形成されている。
【００６８】
上記のように構成される屋根構造体では、つなぎ部材６４の小口板６５が垂木１３の側面２２と面で接触するため、つなぎ部材６４側から上記孔４１を介して木ネジ等の締結具を打ち込んで、つなぎ部材６４を垂木１３に固定することができる。
【００６９】
図１６はこの発明の実施の形態による屋根構造体に用いられるつなぎ部材の概略構成を示した斜視図である。
【００７０】
図１６を参照して、図１に示した形態と比較してつなぎ部材６６の形状が異なり、棟木１１に垂木１３を取り付けるための切欠きが形成されていない点が異なっている。つなぎ部材６６は、例えば鉄板等の加工により形成され、野地板１４の下面１８に沿って断面ヘの字状に形成されるように接続される傾斜板３３と、傾斜板３３の垂木１３側の辺から垂木１３の側面２２に沿って棟木１１の上面１９まで下方に延びるように接続される小口板６７とを備えている。つなぎ部材６６の各々は、垂木１３を挟んで小口板６７の下辺から棟木１１の上面１９に沿って延びる底板６８によって接続されている。即ち、つなぎ部材６６は垂木１３の間隔をあけて連続して一体的に構成されている。小口板６７の垂木１３の側面２２と接触する部分には、木ネジ等の締結具を挿通させるための孔４１が複数形成されている。傾斜板３３及び底板６８は矩形平板状に形成されている。小口板６７は矩形形状と二等辺三角形形状との組合せからなる形状を有する平板状に形成さている。
【００７１】
つなぎ部材６６は、上記孔４１を介して木ネジ等の締結具を打ち込んで、つなぎ部材６６がつながれた垂木１３に固定される。又、棟木１１を挟んで対向する野地板１４の双方が、野地板１４の上方から傾斜板３３に向かって釘等の締結具を打ち込んで、１つのつなぎ部材６６に固定される。
【００７２】
上記のように構成される屋根構造体では、垂木１３の取付け間隔が一定となり、棟木１１に垂木１３を取り付けるための切欠きを施工する必要がなくなるため、垂木１３を効率的に施工することができる。又、垂木１３及び野地板１４を連続して一体的に構成されたつなぎ部材６６に固定するため、水平力に対する屋根構造体全体の剛性を向上させることができる。
【００７３】
図１７は参考例の形態による屋根構造体に用いられる接合部材の概略構成を示した斜視図である。
【００７４】
図１７を参照して、棟を挟んで対向するように下方に傾斜する傾斜面を有する屋根構造体であって、棟木１１と、その棟木１１を挟んで対向するように設置される垂木１３と、その垂木１３の各々を棟を挟んで接合する接合部材６９とを備えている。垂木１３の上方端は棟木１１に支持されている。又、垂木１３の上方端側の上部には、次に説明する接合部材６９の傾斜部７１の形状に合わせて切欠きが形成されている。接合部材６９は、金属等の加工により形成され、垂木１３の上面２１より突出しないように上記切欠きに取り付けられる矩形平板状の傾斜部７１と、棟木１１の上面１９に対して平行に延びると共に上記傾斜部７１の各々を接続する矩形平板状の水平部７０とを備えている。水平部７０及び傾斜部７１は、その幅が垂木１３の幅とほぼ同一となっている。そのため、接合部材６９を垂木１３に取り付けるときに容易に接合部材６９の位置決めを行うことができる。又、傾斜部７１には、釘や木ネジ等の締結具を挿通させるための孔７２が複数形成されている。これらの孔７２を介して締結具を打ち込むことにより、垂木１３に接合部材６９が固定され、棟木１１を挟んで対向するように設置される垂木１３が一体的に接合される。
【００７５】
上記のように構成される屋根構造体では、屋根構造体が水平力を受けた場合に、棟を挟んで対向する垂木１３同士が、接合部材６９により垂木１３の上部が拘束されて一体的に変位する。そのため棟を挟んで対向する垂木１３の各々が逆方向に転びにくくなり、水平力に対する屋根構造体全体の剛性を向上させることができる。又、傾斜部７１には上記孔７２が形成されているため、締結具を使用して接合部材６９を垂木１３に容易に固定することができる。
【００７６】
図１８は参考例の形態による屋根構造体に用いられる接合部材の概略構成を示した斜視図である。
【００７７】
図１８を参照して、屋根構造体は、棟を挟んで対向するように下方に傾斜する傾斜面を有する屋根構造体であって、棟木１１と、その棟木１１を挟んで対向するように設置される垂木１３と、その垂木１３の各々を棟を挟んで接合する接合部材７３とを備えている。垂木１３の上方端は棟木１１に支持されている。接合部材７３は、鉄板等の加工により棟木１１の上面１９視において断面Ｈ字状に形成され、垂木１３を挟むように対向して設置されるフランジ部７５と、フランジ部７５の各々の中央部分を接続して棟木１１の軸方向に設置されるウェブ部７４とを備えている。フランジ部７５は、垂木１３の側面２２に沿うようにして垂木１３を挟んでいる。ウェブ部７４は棟木１１を挟んで対向するように設置される垂木１３の各々の間に設置されている。接合部材７３は、棟木１１に垂木１３が施工された後で、上方から嵌め込まれる。
【００７８】
上記のように構成される屋根構造体では、屋根構造体が水平力を受けた場合に、棟を挟んで対向する垂木１３同士が、接合部材７３により垂木１３の側面２２が拘束されて一体的に変位する。そのため棟を挟んで対向する垂木１３の各々が逆方向に転びにくくなり、水平力に対する屋根構造体全体の剛性を向上させることができる。又、接合部材７３を垂木１３の上方から嵌め込むだけで接合部材７３の施工は完了するため、容易に屋根構造全体の剛性を向上させることができる。
【００７９】
図１９は参考例の実施の形態による屋根構造体の棟部分の一部の概略構成を示した分解斜視図である。
【００８０】
図１９を参照して、屋根構造体は、棟を挟んで対向するように下方に傾斜する傾斜面を有する屋根構造体であって、棟木１１と、その棟木１１を挟んで対向するように設置される垂木１３と、その垂木１３の各々を棟を挟んで接合する接合部材７６とを備えている。垂木１３の上方端は棟木１１に支持されている。接合部材７６は、筒状に形成され、両端が棟を挟んで対向する垂木１３の各々の小口面８３に差し込まれた筒体７７と、上記垂木１３の一方に垂木１３の側面２２から筒体７７を貫通するように差し込まれた固定ピン７８とを備えている。筒体７７は、垂木１３の小口面８３から円柱状に掘り込まれた差込口８１に差し込まれる。又、筒体７７には、固定ピン７８を挿通させるための孔７９が形成されている。固定ピン７８は、筒体７７が差し込まれた後で、上記孔７９を挿通するように垂木１３の側面２２から円柱状に貫通して形成された孔８０に差し込まれる。
【００８１】
上記のように構成される屋根構造体では、屋根構造体が水平力を受けた場合に、棟を挟んで対向する垂木１３同士が、接合部材７６により垂木１３の小口面８３が拘束されて一体的に変位する。そのため棟を挟んで対向する垂木１３の各々が逆方向に転びにくくなり、水平力に対する屋根構造体全体の剛性を向上させることができる。
【００８２】
図２０は参考例の実施の形態による屋根構造体の棟部分の一部の概略構成を示した分解斜視図である。
【００８３】
図２０を参照して、屋根構造体は、棟を挟んで対向するように下方に傾斜する傾斜面を有する屋根構造体であって、棟木１１と、その棟木１１を挟んで対向するように設置される垂木１３と、その垂木１３の上面に設置される野地板１４と、垂木１３の各々を棟を挟んで接合する接合部材８４とを備えている。垂木１３の上方端は棟木１１に支持されている。接合部材８４は、棟を挟んで対向するように設置される垂木１３の各々の上面２１に沿って棟木１１の軸方向からみて断面ヘの字状に形成され、野地板１４と同一の厚みを有する矩形形状の板材から形成されている。又、接合部材８４には、垂木１３の上面２１と接触する部分に、釘や木ネジ等の締結具を挿通させるための孔８５が複数形成されている。野地板１４には、接合部材８４の外周の形状に合わせて矩形形状の切欠き８６が形成されている。
【００８４】
接合部材８４は、上記切欠き８６に合わせて設置され、上記孔８５に釘や木ネジ等の締結具が打ち込まれることにより固定される。
【００８５】
上記のように構成される屋根構造体では、屋根構造体が水平力を受けた場合に、棟を挟んで対向する垂木１３同士及び野地板１４同士が、接合部材８４により一体的に変位する。そのため棟を挟んで対向する垂木１３の各々が逆方向に転びにくくなり、水平力に対する屋根構造体全体の剛性を向上させることができる。
【００８６】
図２１は参考例の形態による屋根構造体の棟部分及び軒桁部分の一部の概略構成を示した分解斜視図である。
【００８７】
図２１を参照して、屋根構造体は、棟を挟んで対向するように下方に傾斜する傾斜面を有する屋根構造体であって、棟木１１と、その棟木１１を挟んで対向するように設置され棟木１１に上方端側が支持される垂木１３と、その垂木１３の上面に設置される野地板１４と、棟木１１と平行に設置され、垂木１３の下方端側を支持する軒桁１０と、棟木１１の軸方向に隣り合う垂木１３同士の間、かつ棟木１１及び軒桁１０の上に、垂木１３の側面２２をつなぐよう設置されたつなぎ部材８７とを備えている。つなぎ部材８７は、例えば桟木やＬＶＬ等の木質系材料からなり、四角柱状に形成されている。つなぎ部材８７は、棟木１１及び軒桁１０の軸方向に長手方向を合わせて、棟木１１の上面１９及び軒桁１０の上面８８に設置されている。つなぎ部材８７の小口面８９は垂木１３の側面２２と面で接触して棟木１１の軸方向に隣り合う垂木１３を接続している。つなぎ部材８７と垂木１３とは、釘等の締結具を用いて接合しても、つなぎ部材８７の小口面８９と垂木１３の側面２２とを接触させるだけで接合しなくてもよい。
【００８８】
上記のように構成される屋根構造体では、屋根構造体が水平力を受けた場合に、棟木１１及び軒桁１０の上の垂木１３が転びにくくなる。又、棟を挟んで対向する垂木１３の各々が逆方向に転びにくくなる。したがって、水平力に対する屋根構造体全体の剛性を向上させることができる。
【００８９】
尚、上記の各実施の形態では、屋根形状として切妻屋根の場合が示されているが、棟を挟んで対向するように下方に傾斜する傾斜面を部分的にでも有していれば、寄棟等他の屋根形状であってもよい。
【００９０】
又、上記の各実施の形態では、つなぎ部材及び接合部材は鉄板あるいは木質系材料から形成されているが、樹脂等他の材料から形成されてもよい。
【符号の説明】
【００９１】
１０  軒桁
１１  棟木
１３  垂木
１４  野地板
１５，３０，３４，３７，３９，４２，４４，４７，４９，５２，５５，６４，６６，８７  つなぎ部材
１８  下面
１９，２１，６２  上面
２０，２２  側面
３１，５６，６８  底板
３２，３５，５７  側板
３３，３８，４３  傾斜板
４０，４５，５０，５３，６５，６７  小口板
４６，４８，５４  仕切板
５１  補強板
５８  桟木
６３，８３  小口面
６９，７３，７６，８４  接合部材
７０  水平部
７１  傾斜部
７４  ウェブ部
７５  フランジ部
７７  筒体
７８  固定ピン
８６  切欠き
【図１】
2011153520.tif 000003
【図２】
2011153520.tif 000004
【図３】
2011153520.tif 000005
【図４】
2011153520.tif 000006
【図５】
2011153520.tif 000007
【図６】
2011153520.tif 000008
【図７】
2011153520.tif 000009
【図８】
2011153520.tif 000010
【図９】
2011153520.tif 000011
【図１０】
2011153520.tif 000012
【図１１】
2011153520.tif 000013
【図１２】
2011153520.tif 000014
【図１３】
2011153520.tif 000015
【図１４】
2011153520.tif 000016
【図１５】
2011153520.tif 000017
【図１６】
2011153520.tif 000018
【図１７】
2011153520.tif 000019
【図１８】
2011153520.tif 000020
【図１９】
2011153520.tif 000021
【図２０】
2011153520.tif 000022
【図２１】
2011153520.tif 000023
【図２２】
2011153520.tif 000024
【図２３】
2011153520.tif 000025